(57)【要約】【課題】搬送作業が容易であるとともに建物の階高に容易に適合することができる壁構造及び壁構造の構築方法を提供することを課題とする。【解決手段】床に設置された下部ジョイント部材１３と、下端に形成された下部溝２１ｃに下部ジョイント部材１３が嵌合される第一下部壁パネル２１Ａと、第一下部壁パネル２１Ａの上に配置される第一上部壁パネル２２Ａと、第一下部壁パネル２１Ａの上端に形成された上部溝２ｄに嵌合されるとともに、第一上部壁パネル２２Ａの下端に形成された下部溝２２ｃに嵌合される第一上部ジョイント部材２３Ａと、第一下部壁パネル２１Ａと下部ジョイント部材１３、第一下部壁パネル２１Ａと第一上部ジョイント部材２３Ａ、第一上部壁パネル２２Ａと第一上部ジョイント部材２３Ａをそれぞれ固定する固定部材Ｍと、を有することを特徴とする。【選択図】図２
2014109145.tif 000002
【特許請求の範囲】
【請求項１】
床に設置された下部ジョイント部材と、
下端に形成された下部溝に前記下部ジョイント部材が嵌合されるとともに面材が予め取り付けられた下部壁パネルと、
前記下部壁パネルの上に配置されるとともに面材が予め取り付けられた上部壁パネルと、
前記下部壁パネルの上端に形成された上部溝に嵌合されるとともに、前記上部壁パネルの下端に形成された下部溝に嵌合される上部ジョイント部材と、
前記下部壁パネルと前記下部ジョイント部材、前記下部壁パネルと前記上部ジョイント部材、前記上部壁パネルと前記上部ジョイント部材をそれぞれ固定する固定部材と、を有することを特徴とする壁構造。
【請求項２】
前記下部壁パネルの側端に形成された側部溝に嵌合される側部ジョイント部材と、
前記下部壁パネルと前記側部ジョイント部材とを固定する固定部材と、を有し、
前記側部ジョイント部材は、前記下部ジョイント部材の幅方向に隣接する他の下部壁パネルに嵌合されることを特徴とする請求項１に記載の壁構造。
【請求項３】
前記下部壁パネル及び前記上部壁パネルは、前記各壁パネルの幅方向に離間して配置された複数の縦材と、前記縦材に取り付けられた前記面材とを含んで構成されており、
前記上部ジョイント部材と前記縦材との間に上下方向に連通する連通孔が形成されていることを特徴とする請求項１又は請求項２に記載の壁構造。
【請求項４】
前記床の上に配置される土台コアと、前記土台コアの幅方向の両側及び上側を覆う土台ライナーと、を有し、
前記下部ジョイント部材は、前記土台ライナーの上に配置されていることを特徴とする請求項１乃至請求項３のいずれか一項に記載の壁構造。
【請求項５】
前記上部壁パネルには、天井枠組の一部を取り付ける天井ライナー部が形成されていることを特徴とする請求項１乃至４のいずれか一項に記載の壁構造。
【請求項６】
床の上に設置された下部ジョイント部材に、面材が予め取り付けられた下部壁パネルの下端に形成された下部溝を嵌め合わせる工程と、
前記下部壁パネルの上端に形成された上部溝及び面材が予め取り付けられた上部壁パネルの下端に形成された下部溝に上部ジョイント部材を嵌め合わせる工程と、
前記下部壁パネルと前記下部ジョイント部材、前記下部壁パネルと前記上部ジョイント部材及び前記上部壁パネルと前記上部ジョイント部材をそれぞれ固定部材で固定する工程と、を含むことを特徴とする壁構造の構築方法。
【発明の詳細な説明】
【技術分野】
【０００１】
本発明は、壁構造及び壁構造の構築方法に関する。
【背景技術】
【０００２】
例えば、住宅やマンション等においてリフォームを行う場合、現場でその建物の寸法に合った枠組を形成した後、当該枠組に面材を貼り付けて間仕切り壁を構築することが行われている。しかし、この方法であると、現場での作業が煩雑になるとともに、構築時における騒音が大きくなったり、ゴミが多く発生したりするという問題があった。
【０００３】
特許文献１には、住宅又はマンションのリフォームを行う際に、予め工場等で形成した複数の壁パネルを横方向に並設して間仕切壁を構築する技術が開示されている。このような技術によれば、現場で壁パネルを形成する作業を省略することができるため、前記した問題を解決することができる。当該技術では、隣り合う壁パネルの側部に金属製のスペーサを介設して、両方の壁パネルを固定している。
【先行技術文献】
【特許文献】
【０００４】
【特許文献１】特開２０００−３０３５９１号公報
【発明の概要】
【発明が解決しようとする課題】
【０００５】
例えば、階高の高い部屋において間仕切り壁を構築する場合、工場等で当該部屋の寸法に合った壁パネルを予め作成しても、当該壁パネルが建物のエレベータに入らなかったり、搬送通路を通れなかったりするため、搬送作業が困難になるという問題があった。
【０００６】
このような観点から、本発明は、搬送作業が容易であるとともに建物の階高に容易に適合することができる壁構造及び壁構造の構築方法を提供することを課題とする。
【課題を解決するための手段】
【０００７】
このような課題を解決するために本発明は、床に設置された下部ジョイント部材と、
下端に形成された下部溝に前記下部ジョイント部材が嵌合されるとともに面材が予め取り付けられた下部壁パネルと、前記下部壁パネルの上に配置されるとともに面材が予め取り付けられた上部壁パネルと、前記下部壁パネルの上端に形成された上部溝に嵌合されるとともに、前記上部壁パネルの下端に形成された下部溝に嵌合される上部ジョイント部材と、前記下部壁パネルと前記下部ジョイント部材、前記下部壁パネルと前記上部ジョイント部材、前記上部壁パネルと前記上部ジョイント部材をそれぞれ固定する固定部材と、を有することを特徴とする。
【０００８】
かかる構成によれば、壁パネルを上下に分割しつつ、これらの壁パネルを上部ジョイント部材を介して接続するようにしたため、下部壁パネル及び上部壁パネルのそれぞれの高さを小さくすることができる。これにより、搬送作業を容易に行うことができる。また、下部壁パネル及び上部壁パネルを上下方向に接続することで、部屋の階高が大きい場合であっても、当該部屋の寸法に合った壁構造を構築することができる。また、下部壁パネルと上部壁パネルは、上部ジョイント部材を介して固定部材で固定するだけであるため、構築作業も容易である。また、下部壁パネルと下部ジョイント部材、下部壁パネルと上部ジョイント部材及び上部壁パネルと上部ジョイント部材をそれぞれ固定部材で固定するため、壁構造の強度を向上させることができる。また、下部壁パネル及び上部壁パネルは、工場等で予め面材が取り付けられているため、現場での作業を少なくすることができる。これにより、工期の短縮化を図ることができる。
【０００９】
また、前記下部壁パネルの側端に形成された側部溝に嵌合される側部ジョイント部材と、前記下部壁パネルと前記側部ジョイント部材とを固定する固定部材と、を有し、前記側部ジョイント部材は、前記下部ジョイント部材の幅方向に隣接する他の下部壁パネルに嵌合されることが好ましい。
【００１０】
かかる構成によれば、隣り合う下部壁パネル同士を、側部ジョイント部材を介して接合することで、構築する壁構造の幅方向の長さを容易に調節できる。
【００１１】
また、前記下部壁パネル及び前記上部壁パネルは、前記各壁パネルの幅方向に離間して配置された複数の縦材と、前記縦材に取り付けられた前記面材とを含んで構成されており、前記上部ジョイント部材と前記縦材との間に上下方向に連通する連通孔が形成されていることが好ましい。
【００１２】
かかる構成によれば、下部壁パネル及び上部壁パネルの内部に配線を通す際に、当該連通孔を、配線を通す孔として利用することができる。
【００１３】
また、前記床の上に配置される土台コアと、前記土台コアの幅方向の両側及び上側を覆う土台ライナーと、を有し、前記下部ジョイント部材は、前記土台ライナーの上に配置されていることが好ましい。
【００１４】
かかる構成によれば、下部ジョイント部材の設置作業を容易に行うことができる。
【００１５】
また、前記上部壁パネルには、天井枠組の一部を取り付ける天井ライナー部が形成されていることが好ましい。
【００１６】
かかる構成によれば、天井枠組と上部壁パネルとの組み付け作業を容易に行うことができる。
【００１７】
また、本発明は、床の上に設置された下部ジョイント部材に、面材が予め取り付けられた下部壁パネルの下端に形成された下部溝を嵌め合わせる工程と、前記下部壁パネルの上端に形成された上部溝及び面材が予め取り付けられた上部壁パネルの下端に形成された下部溝に上部ジョイント部材を嵌め合わせる工程と、前記下部壁パネルと前記下部ジョイント部材、前記下部壁パネルと前記上部ジョイント部材及び前記上部壁パネルと前記上部ジョイント部材をそれぞれ固定部材で固定する工程と、を含むことを特徴とする。
【００１８】
かかる構築方法によれば、壁パネルを上下に分割しつつ、これらの壁パネルを上部ジョイント部材を介して接続するようにしたため、下部壁パネル及び上部壁パネルのそれぞれの高さを小さくすることができる。これにより、搬送作業を容易に行うことができる。また、下部壁パネル及び上部壁パネルを上下方向に接続することで、部屋の階高が大きい場合であっても、当該部屋の寸法に合った壁構造を構築することができる。また、下部壁パネルと上部壁パネルは、上部ジョイント部材を介して固定部材で固定するだけであるため、構築作業も容易である。また、下部壁パネルと下部ジョイント部材、下部壁パネルと上部ジョイント部材及び上部壁パネルと上部ジョイント部材をそれぞれ固定部材で固定するため、壁構造の強度を向上させることができる。また、下部壁パネル及び上部壁パネルは、工場等で予め面材が取り付けられているため、現場での作業を少なくすることができる。これにより、工期の短縮化を図ることができる。
【発明の効果】
【００１９】
本発明に係る壁構造及び壁構造の構築方法によれば、搬送作業が容易であるとともに建物の階高に容易に適合することができ、さらには、工期を短縮することができる。
【図面の簡単な説明】
【００２０】
【図１】本発明の実施形態に係る壁構造を示す斜視図である。
【図２】本実施形態に係る壁構造を示す分解斜視図である。
【図３】図１のＩ−Ｉ断面図である。
【図４】図１のII−II断面図である。
【図５】第一下部壁パネルを示す図であって、（ａ）は平面図、（ｂ）は側面図、（ｃ）は正面図である。
【図６】第一下部壁パネルの下地枠組を示す正面図である。
【図７】第一上部壁パネルを示す図であって、（ａ）は平面図、（ｂ）は側面図、（ｃ）は正面図である。
【図８】本発明の実施形態に係る壁構造の構築方法を示す斜視図であって、第一〜第三工程を示す。
【図９】本実施形態に係る壁構造の構築方法を示す斜視図であって、第四工程を示す。
【図１０】本実施形態に係る壁構造の構築方法を示す斜視図であって、第五、第六工程を示す。
【発明を実施するための形態】
【００２１】
本発明に係る実施形態について図面を用いて詳細に説明する。図１に示すように、本実施形態に係る壁構造１は、マンションの室内の壁に適用する場合を例示する。壁構造１は、床ライナー部２と、第一複合壁パネル３Ａと、第二複合壁パネル３Ｂと、第一側部ジョイント部材４と、第二側部ジョイント部材５と、第三側部ジョイント部材６と、天井ライナー部７とで主に構成されている。本実施形態の説明における上下、左右、前後は、図１の矢印にしたがう。
【００２２】
図２に示すように、床ライナー部２は、土台コア１１と、土台ライナー１２と、下部ジョイント部材１３とを含んで構成されている。床ライナー部２は、各複合壁パネルの下部を支持するとともに、各複合壁パネルを配設する際のレールとなる部位である。
【００２３】
図３に示すように、土台コア１１は、コンクリートのスラブＳ１の上に配置される矩形断面の木材である。土台コア１１の長さは、当該マンションに各部材を搬送する際の搬送通路を通る大きさであり、かつ、エレベータに入る大きさであることが好ましい。土台コア１１の長さは、本実施形態では、例えば、１８２０ｍｍになっている。左右方向から見た場合、土台コア１１の上部の両角部には面取り加工が施されている。
【００２４】
図３に示すように、土台ライナー１２は、土台ライナー下地１２ａと、土台ライナー側板１２ｂ，１２ｂとを含んで構成されている。土台ライナー１２は、土台コア１１の幅方向の両側及び上側を覆い、下部ジョイント部材１３の下地となる部材である。土台ライナー１２の長さは、土台コア１１の長さと同等になっている。
【００２５】
土台ライナー下地１２ａは、矩形断面の木材であって、土台コア１１と略同等の長さになっている。土台ライナー下地１２ａの幅は、土台コア１１の幅と同等になっている。
【００２６】
土台ライナー側板１２ｂ，１２ｂは、土台ライナー下地１２ａの幅方向の両側に取り付けられる矩形断面の木材である。つまり、土台ライナー側板１２ｂ，１２ｂは、土台ライナー下地１２ａの前側及び後側に取り付けられている。土台ライナー側板１２ｂの長さは、土台ライナー下地１２ａの長さと略同等になっている。
【００２７】
土台ライナー側板１２ｂ，１２ｂの上面は、土台ライナー下地１２ａの上面と面一になっている。土台ライナー側板１２ｂ，１２ｂの高さは、土台ライナー下地１２ａの高さよりも大きく、かつ、土台ライナー下地１２ａの高さと土台コア１１の高さとの和よりも小さくなっている。スラブＳ１と土台ライナー側板１２ｂの下面との間には、スラブＳ１の上に配置される床下地材Ｓ２の端部が配置されている。また、床下地材Ｓ２の上には、床化粧材Ｓ３が配置されている。
【００２８】
図２に示すように、下部ジョイント部材１３は、土台ライナー１２の上に固定される矩形断面の木材である。下部ジョイント部材１３は、第一複合壁パネル３Ａ及び第二複合壁パネル３Ｂの下部溝２１ｃ，２１ｃに嵌合される部材である。図３に示すように、下部ジョイント部材１３の幅は、土台ライナー下地１２ａの幅よりも小さくなっている。左右方向から見た場合、下部ジョイント部材１３の上部の両角部には面取り加工が施されている。
【００２９】
土台ライナー１２及び下部ジョイント部材１３は、現場で組み立てもよいが、予め工場等で土台ライナー１２と下部ジョイント部材１３とを一体形成してもよい。なお、本実施形態では、２枚の複合壁パネルを並設する場合を例示しているが、３枚以上並設する場合は、図１のように、床ライナー部２の長手方向にさらに他の床ライナー部２を設置してもよい。
【００３０】
図１に示すように、第一複合壁パネル３Ａは、第一下部壁パネル２１Ａと、第一上部壁パネル２２Ａと、第一上部ジョイント部材２３Ａと、複数の固定部材Ｍとで主に構成されている。第一複合壁パネル３Ａは、床ライナー部２の上に配置され、壁構造１の壁面を構成する部材である。
【００３１】
図５の（ａ）、（ｂ）、（ｃ）に示すように、第一下部壁パネル（下部壁パネル）２１Ａは、３本の縦材２４と、一対の下地枠組２５と、一対の面材２６とを含んで構成されている。第一下部壁パネル２１Ａは、第一複合壁パネル３Ａの下部に配置されるパネルである。第一下部壁パネル２１Ａの大きさは、搬送通路を通る大きさであり、かつ、エレベータに入る大きさであれば特に制限されないが、本実施形態では例えば高さが１８２０ｍｍ、幅が９１０ｍｍ、厚さが７０ｍｍになっている。つまり、第一下部壁パネル２１Ａの幅は、床ライナー部２の半分の長さになっている。また、第一下部壁パネル２１Ａの厚さは、床ライナー部２の厚さと同等になっている。
【００３２】
縦材２４は、矩形断面を呈する木材であって、上下方向に対して平行に配設される。縦材２４は、第一下部壁パネル２１Ａの中央と左右両側に等間隔で配設されている。
【００３３】
図５の（ａ）及び（ｂ）に示すように、下地枠組２５，２５は、正面視矩形枠状を呈し、縦材２４を前後方向に挟むように配設されている。図６に示すように下地枠組２５は、３本の縦下地２５ａと、２本の横下地２５ｂとで構成されており、枠状に組み立てられている。縦下地２５ａは、縦材２４と対応する位置に配設され、縦材２４とくぎ等の固定部材で一体化されている。横下地２５ｂは、３本の縦下地２５ａの上端及び下端をそれぞれ連結するように配設され、縦材２４とくぎ等の固定部材で一体化されている。
【００３４】
下地枠組２５に替えて一枚ものの合板を用いてもよいが、下地枠組２５のように枠状とすることにより軽量化を図ることができるとともに、材料コストを下げることができる。また、図５（ａ）及び図６等を参照するように、縦材２４と縦下地２５ａ，２５ａとで構成される部位の水平断面がＨ型となるため、下部壁パネル２１Ａに作用する曲げモーメントに対する剛性を高めることができる。また、下地枠組２５の剛性を高めることができるため、縦材２４の板厚を薄くすることができる。これにより、第一下部壁パネル２１Ａのパネル厚を小さくすることができる。
【００３５】
図５の（ａ）、（ｂ）、（ｃ）に示すように、面材２６，２６は、正面視矩形を呈し、各縦材２４及び各下地枠組２５を前後方向に挟むように配設されている。面材２６の材料は特に制限されないが、本実施形態では石膏ボードを用いている。正面視した場合において、面材２６の外縁と下地枠組２５の外縁は同等の形状・大きさになっている。
【００３６】
左右両側に配設される縦材２４は、下地枠組２５及び面材２６の側縁よりも内側に配設されている。具体的には、下地枠組２５及び面材２６の外縁から縦材２４の側面までの距離ｄ１は本実施形態では２０ｍｍになっている。これにより、第一下部壁パネル２１Ａの側端部には側部溝２１ａ，２１ｂが形成されている。
【００３７】
また、縦材２４は、第一下部壁パネル２１Ａの高さよりも若干短く形成されるとともに、下地枠組２５及び面材２６の上下方向の中央に配置される。縦材２４の下端から下地枠組２５及び面材２６の下端までの距離ｄ２、及び、縦材２４の上端から下地枠組２５及び面材２６の上端までの距離ｄ２は本実施形態では２０ｍｍになっている。これにより、第一下部壁パネル２１Ａの下端部には下部溝２１ｃが形成され、上端部には上部溝２１ｄが形成されている。
【００３８】
また、第一下部壁パネル２１Ａの内部には、上下方向に連通する中空部２７（図５の（ａ）参照）が形成されている。中空部２７は、縦材２４，２４と面材２６，２６とで囲まれた空間である。中空部２７は、電気や電話等の配線を通す通路として利用される。なお、第一下部壁パネル２１Ａを搬送する際には、第一下部壁パネル２１Ａの下面、上面及び両側面に形成された各溝を塞ぐための板材を設けてもよい。これにより、搬送の際に第一下部壁パネル２１Ａの各端面にキズが付くのを防ぐことができる。
【００３９】
図７の（ａ）、（ｂ）、（ｃ）に示すように、第一上部壁パネル（上部壁パネル）２２Ａは、３本の縦材３４と、一対の下地枠組３５と、一対の面材３６とを含んで構成されている。第一上部壁パネル２２Ａの内部には、中空部３７が形成されている。第一上部壁パネル２２Ａは、第一複合壁パネル３Ａの上に配置されるパネルである。第一上部壁パネル２２Ａの大きさは、搬送通路を通る大きさであり、かつ、エレベータに入る大きさであれば特に制限されないが、本実施形態では例えば高さが６００ｍｍ、幅が９１０ｍｍ、厚さが７０ｍｍになっている。第一上部壁パネル２２Ａは、第一下部壁パネル２１Ａと対比して、その高さが小さいことを除いては同等の構造になっている。
【００４０】
第一上部壁パネル２２Ａの側端には側部溝２２ａ，２２ｂが形成されている。第一上部壁パネル２２Ａの下端には下部溝２２ｃが形成されており、上端には上部溝２２ｄが形成されている。側部溝２２ａ，２２ｂ、下部溝２２ｃ及び上部溝２２ｄの深さは、いずれも２０ｍｍになっている。つまり、第一下部壁パネル２１Ａの各部溝と第一上部壁パネル２２Ａの各部溝とは同等の深さになっている。
【００４１】
図２に示すように、第一上部ジョイント部材（上部ジョイント部材）２３Ａは、第一下部壁パネル２１Ａと第一上部壁パネル２２Ａとを接続する矩形断面の木材である。図３に示すように、左右方向から見た場合、第一ジョイント部材２３の四隅には、面取り加工が施されている。第一上部ジョイント部材２３Ａの高さは、本実施形態では４０ｍｍになっている。第一上部ジョイント部材２３Ａの下半分は、第一下部壁パネル２１Ａの上部溝２１ｄに隙間なく嵌合されている。
【００４２】
また、第一上部ジョイント部材２３Ａの上半分は、第一上部壁パネル２２Ａの下部溝２２ｃに隙間なく嵌合されている。さらに、第一下部壁パネル２１Ａと第一上部ジョイント部材２３Ａ、及び、第一上部壁パネル２２Ａと第一上部ジョイント部材２３Ａはそれぞれくぎやビス等の固定部材Ｍで固定されている。固定部材Ｍは、前側及び後側の少なくともいずれかから留め付けられればよいが、本実施形態では、前側及び後側の両方から留め付けられている。
【００４３】
図４に示すように、第一上部ジョイント部材２３Ａの長さは、第一下部壁パネル２１Ａの幅方向の両端に配設された縦材２４，２４の各側面間の距離ｄ３よりも短くなっている。また、第一上部ジョイント部材２３Ａは、縦材２４，２４から左右方向に離間して配設されている。これにより、第一上部ジョイント部材２３Ａと、縦材２４と、下地枠組２５，２５とで囲まれて形成された連通孔Ｘ，Ｘが形成されている。また、具体的な図示は省略するが、第一上部壁パネル２２Ａ側にも、第一上部ジョイント部材２３Ａと、縦材３４と、下地枠組３５，３５とで囲まれて形成された連通孔Ｘが形成されている。
【００４４】
なお、第一上部ジョイント部材２３Ａの高さは、本実施形態では４０ｍｍとしたが、これに限定されるものではない。第一上部ジョイント部材２３Ａの高さをさらに大きくしつつ、第一下部壁パネル２１Ａ及び第一上部壁パネル２２Ａへの挿入代を大きくすることで、第一複合壁パネル３Ａに作用する曲げモーメントに対する剛性を高めることができる。
【００４５】
図１に示すように、第二複合壁パネル３Ｂは、第二下部壁パネル２１Ｂと、第二上部壁パネル２２Ｂと、第二上部ジョイント部材２３Ｂと、複数の固定部材Ｍとで主に構成されている。第二複合壁パネル３Ｂは、床ライナー部２の上に配置されるとともに、第一複合壁パネル３Ａの隣に並設され、壁構造１の壁面を構成する部材である。第二複合壁パネル３Ｂは、第一複合壁パネル３Ａと同等の構造からなるため、第二複合壁パネル３Ｂの詳細な説明は省略する。また、第二複合壁パネルの各構成部材には、各符号の末尾に「Ｂ」と追記することで第一複合壁パネル３Ａと区別する。
【００４６】
図２に示すように、第一側部ジョイント部材４は、矩形断面の木材であって、第一複合壁パネル３Ａの左側において、下部ジョイント部材１３に対して垂直に配設されている。第一側部ジョイント部材４は、一本の部材で構成してもよいが、本実施形態では第一下側部ジョイント部材４ａと、第一上側部ジョイント部材４ｂとで構成されている。これらの部材の長さは搬送する際の搬送通路を通る大きさであり、かつ、エレベータに入る大きさであれば特に制限されないが、本実施形態では第一下側部ジョイント部材４ａの高さを６００ｍｍ、第一上側部ジョイント部材４ｂの高さを１８００ｍｍに設定している。第一上側部ジョイント部材４ｂは、第一下部壁パネル２１Ａと第一上部壁パネル２２Ａとに跨って配設されている。
【００４７】
図４に示すように、第一側部ジョイント部材４の左側面は、例えば、既存の壁Ｗに固定されている。第一側部ジョイント部材４の下端は、下部ジョイント部材１３に当接している。第一側部ジョイント部材４は、側部溝２１ａ及び側部溝２２ａ（図２参照）に隙間なく配設される形状になっている。また、図４に示すように、上下方向から見た場合、第一側部ジョイント部材４の前側及び後側の両角部には、面取り加工が施されている。第一側部ジョイント部材４と第一下部壁パネル２１Ａ、及び、第一側部ジョイント部材４と第一上部壁パネル２２Ａとはそれぞれ固定部材Ｍで固定されている。
【００４８】
図２に示すように、第二側部ジョイント部材（側部ジョイント部材）５は、矩形断面の木材であって、第一複合壁パネル３Ａと第二複合壁パネル３Ｂの間において、下部ジョイント部材１３に対して垂直に配設されている。第二側部ジョイント部材５は、一本の部材で構成してもよいが、本実施形態では第二下側部ジョイント部材５ａと、第二上側部ジョイント部材５ｂとで構成されている。これらの部材の長さは搬送する際の搬送通路を通る大きさであり、かつ、エレベータに入る大きさであることであれば特に制限されないが、本実施形態では第二下側部ジョイント部材５ａの高さを６００ｍｍ、第二上側部ジョイント部材５ｂの高さを１８００ｍｍに設定している。第二上側部ジョイント部材５ｂは、第一下部壁パネル２１Ａと第一上部壁パネル２２Ａに跨って配設されている。
【００４９】
第二側部ジョイント部材５の幅（左右方向の長さ）は、第一側部ジョイント部材４の幅の略二倍になっている。また、第二側部ジョイント部材５の高さは、第一側部ジョイント部材４の高さと略同等になっている。図２に示すように、第二側部ジョイント部材５は、隣り合う第一下部壁パネル２１Ａ及び第二下部壁パネル２１Ｂの対向する側部溝２１ｂ，２１ａ、及び、隣り合う第一上部壁パネル２２Ａ及び第二上部壁パネル２２Ｂの対向する側部溝２２ｂ，２２ａに配設されている。
【００５０】
図４に示すように、第二側部ジョイント部材５は、側部溝２１ｂ，２１ａによって囲まれた空間に隙間なく配設される。つまり、第二側部ジョイント部材５の左半分は側部溝２１ｂに嵌合され、右半分は側部溝２１ａに嵌合される。同様に、第二側部ジョイント部材５の左半分は側部溝２２ｂに嵌合され、右半分は側部溝２２ａに嵌合される。上下方向から見た場合、第二側部ジョイント部材５の四隅には、面取り加工が施されている。また、第二側部ジョイント部材５は、第一下部壁パネル２１Ａ及び第二下部壁パネル２１Ｂと固定部材Ｍで固定されるとともに、第一上部壁パネル２２Ａ及び第二上部壁パネル２２Ｂと固定部材Ｍで固定される。
【００５１】
図２に示すように、第三側部ジョイント部材（側部ジョイント部材）６は、矩形断面の木材であって、第二複合壁パネル３Ｂの右側部おいて、下部ジョイント部材１３に対して垂直に配設されている。第三側部ジョイント部材６は、第二側部ジョイント部材５と略同等の形状になっている。第三側部ジョイント部材６は、一本の部材で構成してもよいが、本実施形態では第三下側部ジョイント部材６ａと、第三上側部ジョイント部材６ｂとで構成されている。これらの部材の長さは搬送する際の搬送通路を通る大きさであり、かつ、エレベータに入る大きさであることであれば特に制限されないが、本実施形態では第三下側部ジョイント部材６ａの高さを６００ｍｍ、第三上側部ジョイント部材６ｂの高さを１８００ｍｍに設定している。第三上側部ジョイント部材６ｂは、第二下部壁パネル２１Ｂと第二上部壁パネル２２Ｂに跨って配設されている。
【００５２】
図２に示すように、第三側部ジョイント部材６の左半分は第二下部壁パネル２１Ｂの側部溝２１ｂに嵌合されるとともに、第二上部壁パネル２２Ｂの側部溝２２ｂに嵌合される。また、第三側部ジョイント部材６と第二下部壁パネル２１Ｂは固定部材Ｍで固定され、第三側部ジョイント部材６と第二上部壁パネル２２Ｂは固定部材Ｍで固定される。
【００５３】
図３に示すように、天井ライナー部７は、天井ライナー下地４１と、天井ライナー側板４２，４２とで構成されている。天井ライナー部７は、天井枠組Ｔの一部を保持する部位である。天井ライナー部７は、左右方向に延設されるとともに、第一上部壁パネル２２Ａ及び第二上部壁パネル２２Ｂの前側において、両壁パネルに跨って配設されている。天井ライナー７は、第一上部壁パネル２２Ａ及び第二上部壁パネル２２Ｂの上端から下がった位置に設けられている。
【００５４】
図３に示すように、天井ライナー下地４１は、矩形断面の木材であって、第一上部壁パネル２２Ａ及び第二上部壁パネル２２Ｂの前側に取り付けられている。天井ライナー側板４２は、矩形断面の木材であって、天井ライナー下地４１の上部及び下部において、第一上部壁パネル２２Ａ及び第二上部壁パネル２２Ｂに対して垂直に取り付けられている。天井ライナー側板４２の前後方向の長さは、天井ライナー下地４１の前後方向の長さよりも大きくなっている。これにより、天井ライナー部７の前側には、天井枠組Ｔが嵌合される溝部７ａが形成されている。
【００５５】
図３に示すように、天井枠組Ｔは、複数の野ぶちＴ１と、野ぶちＴ１の端部を繋ぐ天井転び止めＴ２とで構成されている。天井枠組Ｔの下面には天井面材Ｕが取り付けられている。溝部７ａには、天井転び止めＴ２が嵌合されている。また、天井面材Ｕの端部は、天井ライナー側板４２の端部と当接するようになっている。天井面材Ｕの下面と天井ライナー側板４２の下面とは面一になっている。なお、第一上部壁パネル２２Ａ及び第二上部壁パネル２２Ｂから構造躯体の天井面Ｋまでは隙間が形成されている。この隙間は、配線等が通されるとともに、第一上部壁パネル２２Ａ及び第二上部壁パネル２２Ｂを配設する際のスペースとして利用される。
【００５６】
次に、本実施形態に係る壁構造の構築方法について説明する。本実施形態に係る壁構造の構築方法では、各構成部材を組み立てる準備工程と、床ライナー部２を配設する第一工程と、第一側部ジョイント部材４を配設する第二工程と、第一下部壁パネル２１Ａを配設する第三工程と、第一上部壁パネル２２Ａを配設する第四工程と、第二側部ジョイント部材５を配設する第五工程と、第二下部壁パネル２１Ｂを配設する第六工程と、第二上部壁パネル２２Ｂを配設する第七工程と、第三側部ジョイント部材６を配設する第八工程と、行う。
【００５７】
準備工程では、壁構造１の各構成部材を組み立てる。本実施形態では、土台ライナー１２と下部ジョイント部材１３とは工場等で予め一体形成する。また、第一下部壁パネル２１Ａ、第一上部壁パネル２２Ａ、第二下部壁パネル２１Ｂ、第二上部壁パネル２２Ｂ及び天井ライナー部７は、工場等で予め一体形成する。
【００５８】
図８に示すように、第一工程では、まず、スラブＳ１に土台コア１１を配設する。そして、土台コア１１の上に土台ライナー１２を配設しつつ床面材Ｓ２及び床化粧材Ｓ３を配設する。床ライナー部２は既存の壁Ｗに対して垂直に、かつ、その端部が壁Ｗに当接するように配設する。
【００５９】
第二工程では、既存の壁Ｗに第一側部ジョイント部材４を配設する。第一側部ジョイント部材４の下端は、下部ジョイント部材１３に当接させる。
【００６０】
第三工程では、まず、第一下部壁パネル２１Ａの上部溝２１ｄに第一上部ジョイント部材２３Ａを嵌め合わせる。この際、第一下部壁パネル２１Ａと第一上部ジョイント部材２３Ａとは、くぎ又は接着剤等で仮留めしてもよい。
【００６１】
そして、下部ジョイント部材１３に第一下部壁パネル２１Ａの下部溝２１ｃを嵌め合わせつつ、第一下部壁パネル２１Ａをスライドさせて第一下部壁パネル２１Ａの側部溝２１ａに第一側部ジョイント部材４を嵌め合わせる。さらに、下部ジョイント部材１３と第一下部壁パネル２１Ａとを固定部材Ｍで留め付けるとともに、第一側部ジョイント部材４と第一下部壁パネル２１Ａとを固定部材Ｍで留め付ける。
【００６２】
図９に示すように、第四工程では、第一上部ジョイント部材２３Ａに第一上部壁パネル２２Ａの下部溝２２ｃを嵌め合わせつつ、第一上部壁パネル２２Ａをスライドさせて第一上部壁パネル２２Ａの側部溝２２ａに第一側部ジョイント部材４を嵌め合わせる。そして、第一上部ジョイント部材２３Ａと第一上部壁パネル２２Ａとを固定部材Ｍで留め付けるとともに、第一側部ジョイント部材４と第一上部壁パネル２２Ａとを固定部材Ｍで留め付ける。
【００６３】
図１０に示すように、第五工程では、第四工程で形成された第一複合壁パネル３Ａの側部に第二側部ジョイント部材５を配設する。第五工程では、第一複合壁パネル３Ａの側部溝２１ｂ，２２ｂ（図２参照）に第二側部ジョイント部材５の左半分を嵌め合せ、固定部材Ｍで固定する。
【００６４】
第六工程では、まず、第二下部壁パネル２１Ｂの上部溝２１ｄに第二上部ジョイント部材２３Ｂを嵌め合せる。この際、第二下部壁パネル２１Ｂと第二上部ジョイント部材２３Ｂとは、くぎ又は接着剤等で仮止めしてもよい。
【００６５】
そして、下部ジョイント部材１３に第二下部壁パネル２１Ｂの下部溝２１ｃを嵌め合わせつつ、第二下部壁パネル２１Ｂをスライドさせて第二下部壁パネル２１Ｂの側部溝２１ａに第二側部ジョイント部材５を嵌め合わせる。さらに、下部ジョイント部材１３と第二下部壁パネル２１Ｂとを固定部材Ｍで留め付けるとともに、第二側部ジョイント部材５と第二下部壁パネル２１Ｂとを固定部材Ｍで留め付ける。
【００６６】
第七工程では、具体的な図示は省略するが、第二上部ジョイント部材２３Ｂに第二上部壁パネル２２Ｂの下部溝２２ｃ（図２参照）を嵌め合わせつつ、第二上部壁パネル２２Ｂをスライドさせて第二上部壁パネル２２Ｂの側部溝２２ａに第二側部ジョイント部材５の右半分を嵌め合わせる。そして、第二上部ジョイント部材２３Ｂと第二上部壁パネル２２Ｂとを固定部材Ｍで留め付けるとともに、第二側部ジョイント部材５と第二上部壁パネル２２Ｂとを固定部材Ｍで留め付ける。
【００６７】
第八工程では、第七工程で形成された第二複合壁パネル３Ｂの側部に第三側部ジョイント部材６を配設する。第八工程では、第二複合壁パネル３Ｂの側部溝２１ｂ，２２bに第三側部ジョイント部材６の左半分を嵌め合わせ固定部材Ｍで固定する。
【００６８】
最後に、第一上部壁パネル２２Ａ及び第二上部壁パネル２２Ｂに天井ライナー部７を取り付けつつ、天井枠組Ｔを構築する。これにより、壁構造１が完成する。
【００６９】
以上説明した本実施形態に係る壁構造及び壁構造の構築方法によれば、壁パネルを上下に分割しつつ、これらの壁パネルを第一上部ジョイント部材２３Ａを介して接続するようにしたため、第一下部壁パネル２１Ａ及び第一上部壁パネル２２Ａのそれぞれの高さを小さくすることができるとともに、重量も軽減することができる。これにより、搬送作業を容易に行うことができる。
【００７０】
また、第一下部壁パネル２１Ａ及び第一上部壁パネル２２Ａを上下方向に接続することで、室内の階高が大きい場合であっても、当該室内の寸法に合った壁構造１を構築することができる。また、第一下部壁パネル２１Ａと第一上部壁パネル２２Ａは、第一上部ジョイント部材２３Ａを介して固定部材Ｍで固定するだけであるため、構築作業も容易である。
【００７１】
また、第一下部壁パネル２１Ａと第一上部ジョイント部材２３Ａ、第一上部壁パネル２２Ａと第一上部ジョイント部材２３Ａ及び第一下部壁パネル２１Ａと下部ジョイント部材１３とをそれぞれ固定部材Ｍで固定するため、壁構造１の強度を向上させることができる。
【００７２】
また、隣り合う第一複合壁パネル３Ａと第二複合壁パネル３Ｂとを第二側部ジョイント部材５を介して連結することで、幅方向の長さを容易に大きくすることができる。本実施形態では、二枚の複合壁パネルを並設する場合を例示しているが、壁の幅が大きい場合はさらに複合壁パネルを並設することで、室内の大きさに容易に適合することができる。また、第二側部ジョイント部材５は、第一下部壁パネル２１Ａ及び第一上部壁パネル２２Ａに跨って配設されるとともに、それぞれ固定部材Ｍで固定されているため、より強度を高めることができる。
【００７３】
また、第一複合壁パネル３Ａ内に連通孔Ｘ，Ｘを設けることで、当該連通孔Ｘを配線を通す孔として利用することができる。これにより、電気工事に係る設計の自由度を向上させることができる。
【００７４】
また、土台ライナー１２を設けることで、下部ジョイント部材１３の設置作業を容易に行うことができる。また、土台ライナー１２を、幅木等を取り付けるための下地材として利用することができる。
【００７５】
また、天井ライナー部７を設けることにより、天井枠組Ｔと第一複合壁パネル３Ａ等とを容易に組み付けることができる。また、本実施形態では、第一上部壁パネル２２Ａに対して垂直に設けられた天井ライナー側板４２に天井面材Ｕの端面が突き合わされている。これにより、天井と壁との内隅部を奇麗に仕上げることができる。
【００７６】
また、第一下部壁パネル２１Ａ及び第一上部壁パネル２２Ａ等を工場等で予め形成し、現場で組み立てるようにしたため、工期の短縮化、現場作業の簡素化を図れるとともに、現場での騒音やゴミの排出量を低減できる。また、各壁パネルを工場等で予め形成することで、品質の均一化を図ることができる。また、第一下部壁パネル２１Ａと第一上部壁パネル２２Ａは高さ寸法を除いて同等の構造からなるため、工場での生産性を向上させることができる。また、本実施形態のように、第一下部壁パネル２１Ａ及び第二下部壁パネル２１Ｂの高さを１８２０ｍｍ、幅を９１０ｍｍの基本モジュールとし、第一上部壁パネル２２Ａ及び第二上部壁パネル２２Ｂを高さ調整部材とすることが好ましい。このようにすることで、他のマンション等の壁を構築する際に、第一下部壁パネル２１Ａはそのまま用いるとともに、第一上部壁パネルの方で高さを調節すればよいため、さらなる生産性の向上を図れる。
【００７７】
また、第一側部ジョイント部材４、第二側部ジョイント部材５、第三側部ジョイント部材６、土台ライナー下地１２ａ、下部ジョイント部材１３及び第一上部ジョイント部材２３Ａの各角部には面取り加工が施されているため、これらの部材と他の部材との嵌合作業を容易に行うことができる。
【００７８】
以上本発明の実施形態について説明したが、本発明の趣旨に反しない範囲において適宜設計変更が可能である。本実施形態で挙げた寸法は、大きさを分かりやすくするために便宜的に示したものであって、本発明を限定するものではない。
【００７９】
また、本実施形態では、マンションの部屋をリフォームする場合を例示したが、戸建て住宅をリフォームする場合や、新築の戸建て又は新築のマンションを構築する場合に本発明を用いてもよい。
【００８０】
また、例えば、本実施形態では、二枚の複合壁パネルを並設しているが、一枚の複合壁パネルだけでもよいし、三枚以上の複合壁パネルを並設して壁構造を構築してもよい。
【００８１】
また、本実施形態では、下部壁パネルの高さを大きくし、上部壁パネルの高さを小さくしているが、下部壁パネルの高さを小さくし、上部壁パネルの高さを大きくしてもよい。また、正面から見た場合に、下部壁パネルと上部壁パネルを千鳥状に配設してもよい。
【００８２】
また、本実施形態では、第一側部ジョイント部材４、第二側部ジョイント部材５及び第三側部ジョイント部材６は、第一下部壁パネル２１Ａ及び第一上部壁パネル２２Ａに跨って配設されているが、少なくともいずれか一方に配設されていればよい。このことは、第三側部ジョイント部材６についても同様である。第一側部ジョイント部材４、第二側部ジョイント部材５及び第三側部ジョイント部材６を複数の部材で構成してもよい。また、第一上部ジョイント部材２３Ａ及び第二上部ジョイント部材２３Ｂをそれぞれ複数の部材で構成してもよい。
【００８３】
また、床ライナー部２をさらに延長させる場合は、隣接する土台ライナー１２同士を跨ぐように下部ジョイント部材１３を配設するとともに、土台ライナー１２と下部ジョイント部材１３とをくぎ等の固定部材で留め付けてもよい。これにより、床ライナー部２の強度を向上させることができる。また、土台ライナー１２を省略して、下部ジョイント部材１３を土台コア１１に取り付けてもよい。
【００８４】
また、前記した壁構造の構築方法の順番は、あくまで例示であって、この順番に限定されるものではない。例えば、第一下部壁パネル２１Ａと第一上部壁パネル２２Ａとを上下に嵌め合わせつつ、第一側部ジョイント部材４に嵌め合わせた後に、下部ジョイント部材１３と第一下部壁パネル２１Ａ、第一側部ジョイント部材４と第一下部壁パネル２１Ａ、第一側部ジョイント部材４と第一上部壁パネル２２Ａ、第一下部壁パネル２１Ａと第一上部ジョイント部材２３Ａ及び第一上部壁パネル２２Ａと第一上部ジョイント部材２３Ａとを固定部材Ｍで留め付けてもよい。
【００８５】
また、本実施形態では、第一下部壁パネル２１Ａ及び第一上部壁パネル２２Ａの前後両面に面材２６，３６を取り付けたが、これに限定するものではない。例えば、構造壁に沿って本発明の壁構造を構築する場合は、第一下部壁パネル及び第一上部壁パネルのうち、室内側に露出する側のみに面材２６，３６を取り付けるだけでもよい。これにより、材料コストを低減することができる。
【００８６】
また、本実施形態では、各構成部材を木造としたが、各構成部材のいずれかを金属として壁構造を構成してもよい。
【符号の説明】
【００８７】
１      壁構造
２      床ライナー部
３Ａ    第一複合壁パネル
３Ｂ    第二複合壁パネル
４      第一側部ジョイント部材
５      第二側部ジョイント部材（側部ジョイント部材）
６      第三側部ジョイント部材（側部ジョイント部材）
７      天井ライナー部
１１    土台コア
１２    土台ライナー
１３    下部ジョイント部材
２１Ａ  第一下部壁パネル（下部壁パネル）
２２Ａ  第一上部壁パネル（上部壁パネル）
２３Ａ  第一上部ジョイント部材（上部ジョイント部材）
２１Ｂ  第二下部壁パネル（下部壁パネル）
２２Ｂ  第二上部壁パネル（上部壁パネル）
２３Ｂ  第二上部ジョイント部材（上部ジョイント部材）
２４    縦材
２５    下地枠組
２６    面材
３４    縦材
３５    下地枠組
３６    面材
Ｍ      固定部材
Ｓ１    床スラブ
Ｓ２    床面材
Ｓ３    床化粧材
Ｔ      天井枠組
Ｔ１    野ぶち
Ｔ２    天井転び止め
Ｘ      連通孔
【図１】
2014109145.tif 000003
【図２】
2014109145.tif 000004
【図３】
2014109145.tif 000005
【図４】
2014109145.tif 000006
【図５】
2014109145.tif 000007
【図６】
2014109145.tif 000008
【図７】
2014109145.tif 000009
【図８】
2014109145.tif 000010
【図９】
2014109145.tif 000011
【図１０】
2014109145.tif 000012
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
床に設置された下部ジョイント部材と、
下端に形成された下部溝に前記下部ジョイント部材が嵌合されるとともに面材が予め取り付けられた下部壁パネルと、
前記下部壁パネルの上に配置されるとともに面材が予め取り付けられた上部壁パネルと、
前記下部壁パネルの上端に形成された上部溝に嵌合されるとともに、前記上部壁パネルの下端に形成された下部溝に嵌合される上部ジョイント部材と、
前記下部壁パネルと前記下部ジョイント部材、前記下部壁パネルと前記上部ジョイント部材、前記上部壁パネルと前記上部ジョイント部材をそれぞれ固定する固定部材と、を有し、
前記下部壁パネル及び前記上部壁パネルは、前記各壁パネルの幅方向に離間して配置された複数の縦材と、前記縦材に取り付けられた前記面材とを含んで構成されており、
前記上部ジョイント部材と前記縦材との間に上下方向に連通する連通孔が形成されていることを特徴とする壁構造。
【請求項２】
前記下部壁パネルの側端に形成された側部溝に嵌合される側部ジョイント部材と、
前記下部壁パネルと前記側部ジョイント部材とを固定する固定部材と、を有し、
前記側部ジョイント部材は、前記下部壁パネルに隣接する他の下部壁パネルに嵌合されることを特徴とする請求項１に記載の壁構造。
【請求項３】
前記床の上に配置される土台コアと、前記土台コアの幅方向の両側及び上側を覆う土台ライナーと、を有し、
前記下部ジョイント部材は、前記土台ライナーの上に配置されていることを特徴とする請求項１又は請求項２に記載の壁構造。
【請求項４】
前記上部壁パネルには、天井枠組の一部を取り付ける天井ライナー部が形成されていることを特徴とする請求項１乃至３のいずれか一項に記載の壁構造。
【請求項５】
床に設置された下部ジョイント部材と、
下端に形成された下部溝に前記下部ジョイント部材が嵌合されるとともに面材が予め取り付けられた下部壁パネルと、
前記下部壁パネルの上に配置されるとともに面材が予め取り付けられた上部壁パネルと、
前記下部壁パネルの上端に形成された上部溝に嵌合されるとともに、前記上部壁パネルの下端に形成された下部溝に嵌合される上部ジョイント部材と、
前記下部壁パネルと前記下部ジョイント部材、前記下部壁パネルと前記上部ジョイント部材、前記上部壁パネルと前記上部ジョイント部材をそれぞれ固定する固定部材と、を有し、
前記上部壁パネルの前記面材には、当該面材に対して天井枠組を垂直に取り付けるための天井ライナー部が形成されており、
前記上部壁パネルの上端と構造躯体の天井面との間に隙間が形成されていることを特徴とする壁構造。
【請求項６】
床の上に設置された下部ジョイント部材に、面材が予め取り付けられた下部壁パネルの下端に形成された下部溝を嵌め合わせる工程と、
前記下部壁パネルの上端に形成された上部溝及び面材が予め取り付けられた上部壁パネルの下端に形成された下部溝に上部ジョイント部材を嵌め合わせる工程と、
前記下部壁パネルと前記下部ジョイント部材、前記下部壁パネルと前記上部ジョイント部材及び前記上部壁パネルと前記上部ジョイント部材をそれぞれ固定部材で固定する工程と、を含み、
前記下部壁パネル及び前記上部壁パネルを、前記各壁パネルの幅方向に離間して配置された複数の縦材と、前記縦材に取り付けられた前記面材とを含んで構成し、
前記上部溝及び前記下部溝に前記上部ジョイント部材を嵌め合わせるときに、前記上部ジョイント部材と前記縦材との間に上下方向に連通する連通孔を設けることを特徴とする壁構造の構築方法。
【手続補正２】
【補正対象書類名】明細書
【補正対象項目名】０００９
【補正方法】変更
【補正の内容】
【０００９】
また、前記下部壁パネルの側端に形成された側部溝に嵌合される側部ジョイント部材と、前記下部壁パネルと前記側部ジョイント部材とを固定する固定部材と、を有し、前記側部ジョイント部材は、前記下部壁パネルに隣接する他の下部壁パネルに嵌合されることが好ましい。
【手続補正３】
【補正対象書類名】明細書
【補正対象項目名】００１６
【補正方法】変更
【補正の内容】
【００１６】
かかる構成によれば、天井枠組と上部壁パネルとの組み付け作業を容易に行うことができる。
また、本発明は、床に設置された下部ジョイント部材と、下端に形成された下部溝に前記下部ジョイント部材が嵌合されるとともに面材が予め取り付けられた下部壁パネルと、前記下部壁パネルの上に配置されるとともに面材が予め取り付けられた上部壁パネルと、前記下部壁パネルの上端に形成された上部溝に嵌合されるとともに、前記上部壁パネルの下端に形成された下部溝に嵌合される上部ジョイント部材と、前記下部壁パネルと前記下部ジョイント部材、前記下部壁パネルと前記上部ジョイント部材、前記上部壁パネルと前記上部ジョイント部材をそれぞれ固定する固定部材と、を有し、前記上部壁パネルの前記面材には、当該面材に対して天井枠組を垂直に取り付けるための天井ライナー部が形成されており、前記上部壁パネルの上端と構造躯体の天井面との間に隙間が形成されていることを特徴とする。
【手続補正４】
【補正対象書類名】明細書
【補正対象項目名】００１７
【補正方法】変更
【補正の内容】
【００１７】
また、本発明は、床の上に設置された下部ジョイント部材に、面材が予め取り付けられた下部壁パネルの下端に形成された下部溝を嵌め合わせる工程と、前記下部壁パネルの上端に形成された上部溝及び面材が予め取り付けられた上部壁パネルの下端に形成された下部溝に上部ジョイント部材を嵌め合わせる工程と、前記下部壁パネルと前記下部ジョイント部材、前記下部壁パネルと前記上部ジョイント部材及び前記上部壁パネルと前記上部ジョイント部材をそれぞれ固定部材で固定する工程と、を含み、前記下部壁パネル及び前記上部壁パネルを、前記各壁パネルの幅方向に離間して配置された複数の縦材と、前記縦材に取り付けられた前記面材とを含んで構成し、前記上部溝及び前記下部溝に前記上部ジョイント部材を嵌め合わせるときに、前記上部ジョイント部材と前記縦材との間に上下方向に連通する連通孔を設けることを特徴とする。
【手続補正５】
【補正対象書類名】明細書
【補正対象項目名】００１８
【補正方法】変更
【補正の内容】
【００１８】
かかる構築方法によれば、壁パネルを上下に分割しつつ、これらの壁パネルを上部ジョイント部材を介して接続するようにしたため、下部壁パネル及び上部壁パネルのそれぞれの高さを小さくすることができる。これにより、搬送作業を容易に行うことができる。また、下部壁パネル及び上部壁パネルを上下方向に接続することで、部屋の階高が大きい場合であっても、当該部屋の寸法に合った壁構造を構築することができる。また、下部壁パネルと上部壁パネルは、上部ジョイント部材を介して固定部材で固定するだけであるため、構築作業も容易である。また、下部壁パネルと下部ジョイント部材、下部壁パネルと上部ジョイント部材及び上部壁パネルと上部ジョイント部材をそれぞれ固定部材で固定するため、壁構造の強度を向上させることができる。また、下部壁パネル及び上部壁パネルは、工場等で予め面材が取り付けられているため、現場での作業を少なくすることができる。これにより、工期の短縮化を図ることができる。また、下部壁パネル及び上部壁パネルの内部に配線を通す際に、当該連通孔を、配線を通す孔として利用することができる。